(57)【要約】      （修正有）【課題】体育館などに避難した災害避難者に対し、床から人体への冷え込みを防ぎ、また水害にあった家屋などで臨時に畳の代用やパーテーションとして使用できる簡易断熱スチロールシェルターを提供する。【解決手段】ポリエチレン強化したアルミ箔の裏側にさらにポリエチレンフィルムを貼ったアルミ箔特殊シート２を、裏面が表になるように畳一畳と同等サイズのスチロール板１に全面貼りした化粧済みスチロールボード３を床部分に使用し、人体へのアルミ箔の影響を低減し、かつ床面との断熱効果を発揮させる。また、立てて使用する部分には、アルミ箔特殊シート２をスチロール板１に片面貼りしてパーテーション板５としてプライバシーを守ると共に、非常時には床用として使用する。さらに、これらを粘着テープ７のみで組み立てる。【選択図】図１
0003196456.tif 000002
【実用新案登録請求の範囲】
【請求項１】
畳一畳と同等サイズのスチロール板（１）とポリエチレン強化したアルミ箔の裏側にさらにポリエチレンフィルムを貼ったアルミ箔特殊シート（２）の裏面側を使ってスチロール板（１）の表面を全面貼りした化粧済みスチロール板（３）、人体にアルミ箔の影響を低減し、床面との断熱効果を発揮する表面（４）と、立てて使用する部分にはアルミ箔特殊シート（２）をスチロール板（１）に片面貼りにしてプライバシーを守るパーテーション板（５）、また（５）の部分も非常用には床用として使用できる非常時床機能パーテーション板（６）、粘着テープ（７）のみで組み立てる簡易断熱スチロールシェルター
【請求項２】
請求項１において、
前記アルミ特殊シート（２）の裏面を貼りつけたスチロール板（１）を組み立てることにより作成される簡易断熱スチロールシェルターおよび水害した家屋に畳の代用としてのアルミ箔特殊シート全面貼スチロール板（８）
【考案の詳細な説明】
【技術分野】
【０００１】  本考案は、アルミ箔特殊シートを貼って耐久性を強化したスチロール板を使用した、災害時の避難者用が使用する、簡易断熱スチロールシェルターである。
【背景技術】
【０００２】  近年、天災にて避難勧告が発動され、市民が各自治体の避難施設に避難された場合、避難先の体育館・公民館で（特に冬場など）避難者が仮眠をとる場合など床からの冷え込みにより安眠できないとの苦情が出ている。
また床上浸水した家屋の復旧も、床材の復旧時の需要過多の状況下では納期が延びて家屋普及までめどがたたずに長期にわたり別場所に避難を余儀なくされる場合がある。
【考案の概要】
【考案が解決しようとする課題】
【０００３】  市民に対し避難勧告が発せられた各自治体の体育館、公民館などは、空調などは効いているものの、床からの冷え込みには何ら予防策がなく、冬場は避難者の安眠を妨げられることが危惧される。これを断熱効果のあるスチロール板を使用して人体と床との間に断熱効果を実現し、床からの直の冷え込みを軽減する。
スチロールのみでは耐久性に問題があるので、アルミ箔特殊シートを全面に貼って強化するがその際もアルミ面を表に使用すると人体への影響が危惧されるので、ポリエチレン強化した裏面を表面として貼ることによりアルミ箔の問題を解決する。
間仕切りのない体育館などでの避難は隣との仕切がなく、プライバシーの問題も発生しているが、これも壁としての機能で最低限のプライバシーを守れる。またスチロール使用により軽量で、粘着テープにてだれにでも扱いやすく組み立て時もクギ一本も使用せず安全設営である。
また使用前収納時は大人３〜４人用の１セットが横９１０、縦１８２０、厚さ２５０（単位すべてｍｍ）で収まり、重さも６．５ｋｇと軽量、このサイズで非常時に壁用を床用としても使用できるので、最大大人８〜１０人（１０６ｍ３）の使用が可能。使用前収納時もコンパクトなため複数ケースを常備しても場所を取らない。
床上浸水した住居など、畳や床材の代用にもなる。通常の発砲スチロールをポリエチレン強化したアルミ箔で覆っているので比較的耐久性もあるので、畳や床材の代用として使用できる。
【課題を解決するための手段】
【０００４】  請求項１に記載の本考案は、畳一畳と同等サイズのスチロール板（１）にポリエチレン強化したアルミ箔の裏側にさらにポリエチレンフィルムを貼ったアルミ箔特殊シート（２）の裏面が表になるように全面貼りした化粧済みスチロールボード（３）と、人体にアルミ箔の影響を低減し、床面との断熱効果を発揮する表面（４）と、立てて使用する部分にはアルミ特殊シート（２）をスチロール板（１）に片面貼りにしてプライバシーを守るパーテーション板（５）、また（５）の部分も非常用には床用として使用できる非常時床機能パーテーション板（６）、粘着テープ（７）のみで組み立てる簡易断熱スチロールシェルターである。【０００５】請求項１において、
前記アルミ特殊シート（２）の裏面を貼りつけたスチロール板（１）を組み立てることにより作成される簡易断熱スチロールシェルター。また水害した家屋の畳の代用として使用出来るアルミ箔特殊シート全面貼スチロール板（８）
【考案の効果】
【０００６】  現在体育館などの避難所などでは床からの冷え込みは無防備状態であるので、断熱効果を発揮でき防寒に役立つ。遮熱効果を期待できるアルミ箔は人体への影響が危惧されるが、アルミの裏側を表として使用して安全性を実現。【０００７】    パーテーション機能により最低のプライバシーが保証される。パーテーション機能のほか非常時は床用としても使用できる。【０００８】    水害時の臨時床材としても使用できる。アルミ特殊シートを全面貼りしているので耐水性にも優れ比較的長期使用できる。【０００９】    収納時も場所をとらず、軽量であるため取り扱いもしやすい。粘着テープのみによる組み立ても容易である。
【図面の簡単な説明】
【００１０】
【図１】本考案の断熱スチロールシェルターの実施例を示す全体図である。
【図２】本スチロールの構造図である。
【図３】本スチロールの一部断面図である。
【考案を実施するための形態】
【００１１】    災害が発生した場合に住民が避難する、体育館や公民館など間仕切りのない場所に常備する。避難してきた市民がそこで避難者となった場合、常備しておいた本スチロールシェルターを使用し各自シェルターを作成する。複数のスチロール単体を組み上げる作成自体は説明書をよみテープ貼のみで施工がおわる簡単組立である。
【００１２】  また床上浸水した家屋に臨時の畳として代用できる畳と同じサイズなので水害にあった元の畳と入替るだけで済む。
【実施例】
【００１３】    以下、添付図面に従って一実施例を説明する。（１）は畳一畳分のサイズで厚みが４０ｍｍのスチロール板である。（２）はポリエチレンにて強化されたアルミ箔の裏面にさらにポリエチレンフィルムを貼って再強化されたアルミ箔特殊シートである。（３）は（２）の裏面を表にして（１）に全面貼されたスチロール板である。（４）は人体と床面の間の耐熱機能のあるスチロール板表面である。（５）は（１）の表面に（２）を裏張りしたパーテンション板である。
（７）は（３）の状態であるバラのスチロール板を組み上げてシェルター状に組み上げる際に用いるアルミ箔粘着テープである。【００１４】（６）は（５）のパーテーション機能とは別に床面にも使用できる断熱スチロール板である。
【符号の説明】
【００１５】（１）    スチロール板
（２）    ポリエチレン強化されたアルミ箔特殊シート
（３）    アルミ箔特殊シート全面貼りスチロール板
（４）    アルミ箔特殊シート裏面貼スチロール板表面
（５）    アルミ箔特殊シート片面貼スチロール板パーテーション用
（６）    アルミ箔特殊シート片面貼スチロール板床用
（７）    アルミ箔粘着テープ
（８）    アルミ箔特殊シート全面貼りスチロール板
【図１】
0003196456.tif 000003
【図２】
0003196456.tif 000004
【図３】
0003196456.tif 000005